(57)【特許請求の範囲】
【請求項１】
包装容器の外周面に巻き付けられるように貼付される包装容器用ラベルであって、
前記包装容器に巻き付けられる矩形状の本体ラベルと、
その本体ラベルの巻き付け端部を含む端部領域の外周面に、その外縁が該本体ラベルの外縁から予め定められた間隔をおいて重なるように積層され、かつ上下方向において多段状にかつ横向きに配置された複数の分離ラベルを備えた分離ラベル群パーツとを備え、
その分離ラベル群パーツにおける、多段状に配置された複数の分離ラベルは互いに分離可能に連結され、かつ各分離ラベルの裏面には、前記本体ラベルの外周面に前記分離ラベル群パーツを貼着して保持する粘着層を有し、その粘着層は前記本体ラベルから剥離されてその包装容器とは別異の他の対象物に再貼着可能な弱粘着性を有し、
かつ、前記各分離ラベルの、前記巻き付け端部側の外端部には、粘着性を有しないかまたは減殺された非粘着性を裏面に備えたつまみ部を備え、このつまみ部を使用者が指でつまんで操作力を加えることにより、前記分離ラベル群パーツにおいて前記各分離ラベルを他の分離ラベルから分離するとともに、前記本体ラベルから剥離可能としたことを特徴とする包装容器用ラベル。
【請求項２】
前記分離ラベル群パーツにおいて上下方向に多段状にかつ横向きに配置された複数の分離ラベルは、上下方向に並ぶもの同士が互いに横方向に形成されたミシン目を連結部として連結され、複数本の該ミシン目が多段の分離ラベルを区画する境界とされており、その分離ラベル群パーツにおけるすべての分離ラベルが前記ミシン目において分断され、前記本体ラベルから剥離された状態においては、前記本体ラベルの外周面には前記分離ラベル群パーツの残部は一切残らず、その本体ラベルの外周面が露出する請求項１に記載の包装容器用ラベル。
【発明の詳細な説明】
【技術分野】
【０００１】
本発明は、包装容器の外周面に巻き付けられるように貼付される包装容器用ラベルに関する。
【背景技術】
【０００２】
患者に施用される医薬や医療器具に患者と施用情報の照合を行えるバーコード付きラベルを貼付し、施用直前に患者と医薬情報を確認することにより医薬の過った施用を防止するとともに、このラベルを患者別、施用別に区分保管された医薬用袋に貼付することにより医薬の施用の間違いを防止する医薬施用管理方法が考案されている（特許文献１参照）。
【先行技術文献】
【特許文献】
【０００３】
【特許文献１】特開２００４−１７３８１０号公報
【発明の概要】
【発明が解決しようとする課題】
【０００４】
特許文献１の構成では、医薬の施用の間違いを防止することはできるが、薬品を複数の容器に小分けしたときの管理を行うことができないという問題がある。
【０００５】
上記問題を背景とし、本発明の課題は、薬品等の容器内の内容物を他の複数の容器に小分けしたときに、その内容物の管理を容易に行うことができる包装容器用ラベルを提供することにある。
【課題を解決するための手段及び発明の効果】
【０００６】
上記の課題を解決するために、本発明の包装容器用ラベルは、
包装容器の外周面に巻き付けられるように貼付される包装容器用ラベルであって、包装容器に巻き付けられる矩形状の本体ラベルと、
その本体ラベルの巻き付け端部を含む端部領域の外周面に、その外縁が該本体ラベルの外縁から予め定められた間隔をおいて重なるように積層され、かつ上下方向において多段状にかつ横向きに配置された複数の分離ラベルを備えた分離ラベル群パーツとを備え、
その分離ラベル群パーツにおける、多段状に配置された複数の分離ラベルは互いに分離可能に連結され、かつ各分離ラベルの裏面には、本体ラベルの外周面に分離ラベル群パーツを貼着して保持する粘着層を有し、その粘着層は本体ラベルから剥離されてその包装容器とは別異の他の対象物に再貼着可能な弱粘着性を有し、
かつ、各分離ラベルの、巻き付け端部側の外端部には、粘着性を有しないかまたは減殺された非粘着性を裏面に備えたつまみ部を備え、このつまみ部を使用者が指でつまんで操作力を加えることにより、分離ラベル群パーツにおいて各分離ラベルを他の分離ラベルから分離するとともに、本体ラベルから剥離可能としたことを特徴とする。
【０００７】
上記構成によって、分離ラベルを本体ラベルから容易に分離・剥離することが可能となり、薬品等の容器内の内容物を他の複数の容器に小分けしたときに、その内容物の管理を容易に行うことができる。
【０００８】
また、本発明の包装容器用ラベルは、分離ラベル群パーツにおいて上下方向に多段状にかつ横向きに配置された複数の分離ラベルは、上下方向に並ぶもの同士が互いに横方向に形成されたミシン目を連結部として連結され、複数本の該ミシン目が多段の分離ラベルを区画する境界とされており、その分離ラベル群パーツにおけるすべての分離ラベルがミシン目において分断され、本体ラベルから剥離された状態においては、本体ラベルの外周面には分離ラベル群パーツの残部は一切残らず、その本体ラベルの外周面が露出する。
【０００９】
上記構成によって、分離ラベルを分離し易くなるとともに、分離ラベルを分離した後の、ラベルの外観上の見栄えも悪化しない。
【図面の簡単な説明】
【００１０】
【図１】包装容器用ラベルの表面図。
【図２】図１の包装容器用ラベルの本体ラベルのみを示した図。
【図３】図１の分離ラベル群パーツの裏面図。
【図４】図１の包装容器用ラベルの断面図。
【図５】図１の包装容器用ラベルを包装容器に貼付した例を示す図。
【図６】図５の包装容器の底面から見た断面図。
【図７】包装容器用ラベルの表面図（変形例）。
【図８】図７の包装容器用ラベルの断面図（変形例）。
【発明を実施するための形態】
【００１１】
以下、本発明の実施形態を、図面を参照しながら説明する。
図１に、本発明にかかる包装容器用ラベル１の実施形態の表面図を示す。図２に、図１の包装容器用ラベル１において、分離ラベル群パーツ５を分離した状態を示す。また、図３に、分離ラベル群パーツ５の裏面図を示す。また、図４に、図１の包装容器用ラベル１の分離ラベル３における断面図を示す。
【００１２】
包装容器用ラベル１は、例えば紙やポリエステル系等の合成樹脂シート、合成紙などで形成されている。包装容器用ラベル１は、包装容器１０（図５参照）の外周面に巻き付けられるように貼付される本体ラベル２と、本体ラベル２の巻き付け端部の外周面に重なるように積層された分離ラベル群パーツ５を含んで構成される。
【００１３】
本体ラベル２の表面（表面層２ａ）には、例えば、薬剤情報が印刷されている。また、裏面には、包装容器１０に貼り付けるための粘着層２ｂが形成されている。分離ラベル群パーツ５は、上下方向において多段状にかつ横向きに配置された複数の分離ラベル３を備えている。
【００１４】
図１のように、分離ラベル３は、上下方向に並ぶもの同士が互いに横方向に形成されたミシン目６を連結部として連結され、複数本のミシン目６が多段の分離ラベル３を区画する境界とされており、その分離ラベル群パーツ５におけるすべての分離ラベル３がミシン目６において分断されるようになっている。また、個々の分離ラベル３には、例えば、薬剤情報が印刷された表示部３１と、本体ラベル２からの分離を容易とするために、上下方向において多段状に整列して配置されたつまみ部３２が設けられている。
【００１５】
また、図３のように、各分離ラベル３の裏面には、本体ラベルの外周面に分離ラベル群パーツ５を貼着して保持する粘着層３１ａを有し、粘着層３１ａは本体ラベル２から剥離されて包装容器１０とは別異の他の対象物に再貼着可能な弱粘着性を有している。また、分離ラベル３のつまみ部３２の裏面には、例えばシリコンの微細粉末が塗布されたシリコン層を含んで形成される、粘着性を有しないかまたは減殺された非粘着性を備えた粘着力低減層３２ａが形成されている。
【００１６】
図５に、図１の包装容器用ラベル１を包装容器１０に貼り付けた状態の正面図を示す。図６に、図５における包装容器１０の底面から見た断面図を示す。図５，図６のように、つまみ部３２の裏面に粘着力低減層３２ａが形成されているため、使用者は、分離ラベル３を分離ラベル群パーツ５から容易に分離して、包装容器１０から剥がすことができる。なお、図６において、粘着層３１ａは包装容器１０に完全に貼り付いていないように描かれているが、説明のため粘着力低減層３２ａを強調しているためで、実際には粘着層３１ａは包装容器１０にほぼ完全に貼り付いている。
【００１７】
包装容器１０から、別の容器に内容物の一部を移す（いわゆる「小分けする」）とき、分離ラベル群パーツ５の最上部の分離ラベル３のつまみ部３２を、使用者が指でつまんで操作力を加えることにより、分離ラベル群パーツ５において該分離ラベル３を他の分離ラベルから分離するとともに、本体ラベル２から剥離可能となる。使用者は、切り離した分離ラベル３を別の容器に貼り付ける。このとき、分離ラベル３が本体ラベル２から剥離された状態においては、本体ラベル２の外周面には分離ラベル群パーツ５の残部は一切残らず、本体ラベル２の外周面が露出する（図２参照）。
【００１８】
図７，図８を用いて、本発明にかかる包装容器用ラベル１の別構成例を説明する。本実施例は、図１〜図６の構成の変形例であるため、図１〜図６の構成と異なる点のみ述べる。図７に、本実施例における包装容器用ラベル１の構成を示す。また、図８に、図７の包装容器用ラベル１の断面図を示す。図７，図８のように、包装容器用ラベル１の、本体ラベル２の表面層２ａの分離ラベル群パーツ５に対向する面には、例えばシリコンの微細粉末が塗布されたシリコン層を含んで形成される粘着力低減層７が形成されている。また、つまみ部３２の裏面には、粘着層３１ａが形成され、粘着力低減層３２ａは形成されていない。
【００１９】
分離ラベル群パーツ５は、粘着力低減層７の上に貼り付けられるので、使用者は、つまみ部３２の裏面に粘着力低減層３２ａが形成されていなくても、分離ラベル３を比較的容易に切り離すことができる。無論、図７，図８の構成で、つまみ部３２の裏面に粘着力低減層３２ａを形成してもよい。
【００２０】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。例えば、本発明のラベルは、錠剤、カプセル、細粒、顆粒、散剤、液剤などの医薬品や、医薬品以外の内容物を収納した容器（例えば多角形状の容器でも）に適用してもよい。
【符号の説明】
【００２１】
１    包装容器用ラベル
２    本体ラベル
３    分離ラベル
５    分離ラベル群パーツ
６    ミシン目
７    粘着力低減層
１０    包装容器
３１    表示部
３１ａ  粘着層
３２    つまみ部
３２ａ  粘着力低減層
【図１】
0005443855.tif 000002
【図２】
0005443855.tif 000003
【図３】
0005443855.tif 000004
【図４】
0005443855.tif 000005
【図５】
0005443855.tif 000006
【図６】
0005443855.tif 000007
【図７】
0005443855.tif 000008
【図８】
0005443855.tif 000009